(57)【要約】【課題】ＨＤＤなどの蓄積デバイスが搭載された場合に、携帯型信号再生装置が重くなる。【解決手段】バッテリー１１０で駆動される蓄積部１０８内のハードディスク１０９に記録されている信号は、信号出力端子１１１より出力される。出力された信号は、ケーブル１１２、信号入力端子１０７を経由して、小型バッテリー１０６で駆動される記憶再生部１０２内のデータキャッシュ１０５に記憶される。デコーダ１０４はデータキャッシュ１０５のデータが、圧縮されていれば復号化を行い、ヘッドホン１０１へ出力する。マイコン１０３は、例えば、データキャッシュ１０５の信号がなくなりそうになったら、ハードディスク１０９から続きの信号を読み出すなど、これらデータの流れを実現するために、全てのデバイスのコントロールを制御する。【選択図】図１
2005274833.tif 000002
【特許請求の範囲】
【請求項１】
蓄積された信号を任意に読み出すことが可能な蓄積手段と、
前記蓄積手段で読み出した信号を記憶する記憶手段と、
前記記憶手段で記憶した信号を読み出して再生する再生手段とを備え、
前記蓄積手段と記憶手段とが分離可能であり、前記記憶手段と前記再生手段だけの構成でも信号を再生できることを特徴とする携帯型信号再生装置。
【請求項２】
前記記憶手段が、前記蓄積手段のデータを先読みして記憶することを特徴とする請求項１記載の携帯型信号再生装置。
【請求項３】
前記再生手段が、前記蓄積手段から信号を読み出して再生することも可能なことを特徴とする請求項１記載の携帯型信号再生装置。
【請求項４】
前記記憶手段と前記再生手段から構成される記憶再生手段と、前記蓄積手段が別々の電源を保持していることを特徴とする請求項１記載の携帯型信号再生装置。
【請求項５】
前記記憶再生手段の電源が充電可能であり、前記充電を前記蓄積手段の電源を用いて行うことを特徴とする請求項４記載の携帯型信号再生装置。
【請求項６】
前記蓄積手段から前記記憶手段への信号の読み出しが行われないときには、前記蓄積手段の電源から前記記憶手段の電源への電流供給をとめる、もしくは読み出しを行うときより電流供給を小さくすることを特徴とする請求項４、または請求項５記載の携帯型信号再生装置。
【請求項７】
前記信号は、音声信号・映像信号またはその組み合わせの信号であり、
前記再生手段を前記いずれかの信号に対応したものに変更するだけで再生可能であり、
前記蓄積手段は共通して使用できることを特徴とする請求項１から請求項６記載の携帯型信号再生装置。
【請求項８】
前記記憶手段と前記再生手段から構成される記憶再生手段が、前記蓄積手段から読み出したデータをデジタル出力する系をもたないことを特徴とする請求項１から請求項７記載の携帯型信号再生装置。
【請求項９】
前記記憶手段が前記蓄積手段のデータを暗号化して記憶することを特徴とする請求項１から請求項８記載の携帯型信号再生装置。
【請求項１０】
前記記憶手段と前記再生手段から構成される記憶再生手段が、防水機能を備えていることを特徴とする請求項１から請求項９記載の携帯型信号再生装置。
【発明の詳細な説明】
【技術分野】
【０００１】
本発明は、音声信号・映像信号またはその組み合わせの信号を再生する携帯型再生装置に関するものである。
【背景技術】
【０００２】
近年、いわゆるＡＶ機器のデジタル化にともなって、これまで主としてパソコン等の情報機器の分野で使用されてきたＨＤＤなどの蓄積デバイスが、ＡＶ機器に搭載されるようになってきた（例えば、特許文献１を参照）。しかしながら、ＨＤＤなどの蓄積デバイスはその蓄積可能なデータ量は多いが、その重量も重く、また外部からの衝撃に弱いことから、携帯性が重視される商品分野では採用が難しかった。
【０００３】
しかし、近年のデバイスの進化は目覚しく、携帯型の商品にも小型ＨＤＤが搭載されるようになりつつある。
【特許文献１】特開平１０−１９９１４９号公報
【発明の開示】
【発明が解決しようとする課題】
【０００４】
しかしながら、ユーザーがその存在を気にしないでよい程小型軽量化を実現するには至っていない。
【０００５】
解決しようとする問題点は、ＨＤＤなどの蓄積デバイスが搭載された場合に、携帯型信号再生装置が重くなる点である。
【課題を解決するための手段】
【０００６】
本発明は、ＨＤＤなどの蓄積デバイスから、蓄積された信号を読み出して記憶する手段を設けることを最も主要な特徴とする。
【発明の効果】
【０００７】
本発明の第１の携帯型信号再生装置は、蓄積された信号を任意に読み出すことが可能な蓄積手段と、蓄積された信号を読み出して記憶する記憶手段と、記憶した信号を読み出して再生する再生手段とを備えることにより、蓄積手段が分離可能となり、軽量な装置を実現出来る。
【０００８】
本発明の第２の携帯型信号再生装置は、記憶手段と再生手段から構成される記憶再生手段と、蓄積手段が別々の電源を保持しており、記憶再生手段の電源を蓄積手段の電源を用いて充電を行うことにより、記憶再生手段の電源管理を不要にすることも実現出来る。
【０００９】
本発明の第３の携帯型信号再生装置は、蓄積手段から記憶手段への信号の読み出しが行われないときに、蓄積手段の電源からの電流供給をとめる、もしくは読み出しを行うときより小さくすることにより、装置の省電力化も実現出来る。
【００１０】
本発明の第４の携帯型信号再生装置は、再生手段を蓄積手段に記録されている信号にあわせて取り替えることにより再生することを実現出来、簡単に装置の対応可能なフォーマットを拡張することも実現出来る。
【００１１】
本発明の第５の携帯型信号再生装置は、記憶手段と前記再生手段から構成される記憶再生手段が、蓄積手段から読み出したデータをデジタル出力する系をもたないことにより、著作権の保護を実現出来る。
【００１２】
本発明の第６の携帯型信号再生装置は、記憶手段が蓄積手段のデータを暗号化して記憶することにより、第５の発明とは別の構成で著作権の保護を実現出来る。
【００１３】
本発明の第７の携帯型信号再生装置は、記憶手段と再生手段から構成される記憶再生手段に防水機能を備えることにより、ユーザーの使用に制限を伴わない装置を実現することが出来る。
【発明を実施するための最良の形態】
【００１４】
携帯型信号再生装置において、最も重量の重い蓄積デバイスとバッテリーを、信号を中間的に記録することにより分離可能とする構成を実現することにより、簡単な軽量化を実現した。
【００１５】
（実施の形態１）
図１は本発明の実施の形態１の携帯型信号再生装置の構成を示すブロック図である。
【００１６】
図１において、ヘッドホン１０１は音声を出力し、記憶再生部１０２は蓄積部１０８から信号を読み出して記憶してから再生し、マイコン１０３は装置内のデバイスをコントロールし、デコーダ１０４は符号化された信号を復号化し、記憶手段であるデータキャッシュ１０５は蓄積部１０８からの信号を記憶し、小型バッテリー１０６は記憶再生部１０２を駆動し、信号入力端子１０７は蓄積部１０８から信号を読み込み、蓄積部１０８は信号を蓄積する蓄積デバイスであるハードディスク１０９を内蔵し、バッテリー１１０は蓄積部１０８を駆動し、信号出力端子１１１はハードディスク１０９から信号を出力し、ケーブル１１２は信号入力端子１０７と信号出力端子１１１を接続する。
【００１７】
図１において、データキャッシュ１０５は記憶手段、ハードディスク１０９は蓄積手段、マイコン１０３、デコーダ１０４は再生手段に相当する。
【００１８】
以下、図面を用いて本実施の形態を説明する。
【００１９】
バッテリー１１０で駆動される蓄積部１０８内のハードディスク１０９に記録されている信号は、信号出力端子１１１より出力される。出力された信号は、ケーブル１１２、信号入力端子１０７を経由して、小型バッテリー１０６で駆動される記憶再生部１０２内のデータキャッシュ１０５に記憶される。デコーダ１０４はデータキャッシュ１０５のデータが、例えばＭＰ３（ＭＰＥＧ１  Ａｕｄｉｏ  Ｌａｙｅｒ３）で圧縮されていればＭＰ３の復号化を行い、ヘッドホン１０１へ出力する。マイコン１０３は、例えば、データキャッシュ１０５の信号がなくなりそうになったら、ハードディスク１０９から続きの信号を読み出すなど、これらデータの流れを実現するために、全てのデバイスのコントロールを制御する。
【００２０】
ここで、データキャッシュ１０５にはハードディスク１０９と同じデータが入っているため、蓄積部１０８を分離してもデータキャッシュ１０５にデータがあるうちは、連続して再生することが可能となる。例えばデータキャッシュとして６４ＭＢ持てば、ＭＰ３のＣＤ１枚分の音楽データを蓄積することが出来る。
【００２１】
以上のように、記憶再生部１０２のみで信号を再生することが可能となるので、重量の重いハードディスク１０９とバッテリー１１０からなる蓄積部１０８を分離することが可能となり、携帯型信号再生装置の軽量化を実現出来る。
【００２２】
なお、データキャッシュ１０５にハードディスク１０９のデータを先読みする構成にしておけば、データを先読みした時間ハードディスク１０９の電源をとめることが可能となり、蓄積部１０８の省電力化を実現出来る。
【００２３】
また、記憶再生部１０２からデジタル出力することを不可能とする構成にすることにより、ハードディスク上のデータ持ち出しコピー禁止を実現出来、著作権保護も実現出来る。
【００２４】
また、ハードディスク１０９からデータキャッシュ１０５に読み込むときに、暗号化することによっても著作権保護を実現することも出来る。
【００２５】
また、記憶再生部１０２は非常に小型・軽量を実現可能であり、構成が簡単であるので簡単に防水することが出来る。これにより使うシーンを選ばずに使用できることになり、ウェアラブル性を高めることが可能となる。
【００２６】
また、ハードディスク１０９に蓄積されている信号が符号化されていない場合には、デコーダ１０４は不要である。
【００２７】
また、ハードディスク１０９に蓄積する信号として本実施の形態では、ＭＰ３方式としたが、符号化方式は任意であり、要はデコーダ１０４で復号化可能な方式であれば任意である。
【００２８】
また、本構成ではデコーダ１０４はデータキャッシュ１０５から信号を読み出す構成としたが、入力端子１０７からの入力信号をそのまま復号化して再生することももちろん可能である。
【００２９】
また、小型バッテリー１０６およびバッテリー１１０は、デバイスに電源を供給することが可能なものであれば、任意である。例えば小型バッテリーとしてボタン電池を使用することにより小型化出来る。
【００３０】
また、データキャッシュ１０５はデータを保持する機能があればよく、メモリーとして何を採用するかは任意である。例えば、電源が消えてデータが消えてもよいのであればＳＤＲＡＭ（Ｓｙｎｃｈｒｏｎｏｕｓ  ＤＲＡＭ）、困るならＦＬＡＳＨを使用するなど、用途に合わせて変更可能である。
【００３１】
また、記録再生部は非常に小型化が可能であるので、現状の携帯型ＣＤプレーヤーなどのリモコン程度の大きさで充分実現可能である。
【００３２】
（実施の形態２）
図２は本発明の実施の形態２における携帯型信号再生装置の構成を示すブロック図である。
【００３３】
本実施の形態の携帯型信号再生装置は、基本的に実施の形態１と同じ構成であり、通常データの再生に関しては、実施の形態１と全く同じである。
【００３４】
異なるのは記憶再生部１０２と蓄積部１０８間の接続インターフェースである。
【００３５】
図２において、実施の形態１と同様の構成要素については、同じ符号を付与し、説明を省略する。図２において、信号入力端子２０７は蓄積部１０８から信号を読み込み、信号出力端子２１１はハードディスク１０９から信号を出力し、ケーブル２１２は信号入力端子２０７と信号出力端子２１１を接続する。
【００３６】
以下、図面を用いて、本発明の実施の形態２の携帯型信号再生装置について説明する。
【００３７】
本実施の形態の信号入力端子２０７、信号出力端子２１１、およびケーブル２１２は信号と同時に電気も送信することが出来る。従って、バッテリー１１０に蓄積されている電気を小型バッテリー１０６に供給することが出来る。従って、小型バッテリー１０６として充電可能なものを使用すれば充電することが出来る。
【００３８】
以上のように本発明の携帯型信号再生装置は、実施の形態１の効果に加えて、記憶再生部１０２の電源を自動的に充電することが可能となる。
【００３９】
なお、ハードディスク１０９からデータキャッシュ１０５への信号の読み出しが行われない場合には、バッテリー１１０から小型バッテリー１０６への電流供給を止めたり、電流供給を小さくすることも可能である。
【００４０】
（実施の形態３）
図３は本発明の実施の形態３における携帯型信号再生装置の構成を示すブロック図である。本実施の形態の携帯型信号再生装置は、基本的に実施の形態２と同じ構成であるが、ハードディスク１０９に記録されている信号が異なるため、対応する記憶再生部３０２の機能を変更した場合を示している。
【００４１】
図３において、記憶再生部３０２は、異なる信号に対応するために、デコーダ３０４に変更し、表示デバイスである液晶３１２を追加している。
【００４２】
以下、図面を用いて本発明の実施の形態３における携帯型信号再生装置について説明する。
【００４３】
実施の形態１および実施の形態２では、ハードディスク１０９にＭＰ３のデータが記録されているとしたが、本発明では例えばＭＰＥＧ４（Ｍｏｖｉｎｇ  Ｐｉｃｔｕｒｅ  Ｅｘｐｅｒｔｓ  Ｇｒｏｕｐ）の画像とＭＰＥＧ２−ＡＡＣ（Ａｄｖａｎｃｅｄ  Ａｕｄｉｏ  Ｃｏｄｉｎｇ）の音声が多重化された信号が記録されているとする。デコーダ３０４はデータキャッシュ１０５のデータから、映像の復号化を行い、液晶３１２に出力するとともに、音声の復号化を行いヘッドホン１０１から出力する。
【００４４】
以上のように本実施の形態の携帯型信号再生装置は、実施の形態１および実施の形態２に対して記憶再生部３０２を変更するだけで、蓄積部１０８は共通に使用することが出来る。
【００４５】
なお、表示デバイスとして液晶３１２を用いるとしたが、もちろんそれに限定されるものではなく、映像を出力出来ればよく、任意である。
【産業上の利用可能性】
【００４６】
本発明の携帯型信号再生装置は、携帯型で音声信号・映像信号またはその組み合わせの信号を再生する装置として有用である。
【図面の簡単な説明】
【００４７】
【図１】本発明の実施の形態１における携帯型信号再生装置の構成を示すブロック図
【図２】本発明の実施の形態２における携帯型信号再生装置の構成を示すブロック図
【図３】本発明の実施の形態３における携帯型信号再生装置の構成を示すブロック図
【符号の説明】
【００４８】
１０１  ヘッドホン
１０２、３０２  記憶再生部
１０３  マイコン
１０４、３０４  デコーダ
１０５  データキャッシュ
１０６  小型バッテリー
１０７、２０７  信号入力端子
１０８  蓄積部
１０９  ハードディスク
１１０  バッテリー
１１１、２１１  信号出力端子
１１２、２１２  ケーブル
３１２  液晶
【図１】
2005274833.tif 000003
【図２】
2005274833.tif 000004
【図３】
2005274833.tif 000005